(57)【要約】【課題】カードを位置決めする位置決め構造の設計の自由度が高い電子機器を提供する。【解決手段】携帯電話機１は、カード１５を挿脱可能なコネクタ１７を有する。また、携帯電話機１は、挿入状態のカード１５を位置決め可能な第１位置Ｐ１と、第１位置Ｐ１よりも挿入状態のカード１５に対して立ち上がり、挿入状態のカード１５の位置決めを解除する第２位置Ｐ２との間で回転移動可能なストッパ１９とを有する。【選択図】図４
2010232730.tif 000002
【特許請求の範囲】
【請求項１】
所定のカードを挿脱可能なコネクタと、
前記コネクタに挿入状態の前記カードを位置決め可能な第１位置と、前記第１位置よりも前記挿入状態の前記カードに対して立ち上がり、前記挿入状態の前記カードの位置決めを解除する第２位置との間で回転移動可能な位置決め部材と、
を有する電子機器。
【請求項２】
前記位置決め部材は、前記第１位置において、前記挿入状態の前記カードに対して前記挿入方向の側方から当接可能な側方部を有する
請求項１に記載の電子機器。
【請求項３】
前記側方部は、前記挿入状態の前記カードに平行且つ前記挿入方向に直交する方向を軸方向とする、前記挿入状態の前記カードの前記挿入方向の前端から後端までの間に位置する回転軸回りに回転可能である
請求項２に記載の電子機器。
【請求項４】
前記位置決め部材は、
前記挿入方向の側方の両側にそれぞれ設けられた前記側方部と、
２つの前記側方部の自由端部に架け渡され、前記第１位置において、前記挿入状態の前記カードに対して前記挿入方向の反対側から当接可能な後方部と、
を有する請求項３に記載の電子機器。
【請求項５】
前記位置決め部材は、前記後方部から前記回転軸とは反対側へ突出する突出部を有する
請求項４に記載の電子機器。
【請求項６】
前記位置決め部材は、一枚の板金により構成され、前記２つの側方部及び前記後方部は、前記第１位置にて前記挿入状態の前記カードの外周に対向する方向を板金の厚さ方向として構成されている
請求項４又は５に記載の電子機器。
【請求項７】
前記位置決め部材は、前記第１位置において、前記挿入状態の前記カードの前記第２位置側の面に当接可能な面側部を有する
請求項１〜６のいずれか１項に記載の電子機器。
【請求項８】
前記第１位置にある前記位置決め部材の前記第２位置側への移動を規制可能な位置に着脱可能なバッテリを収容するバッテリ収容部が形成された筐体部材を有する
請求項１〜７のいずれか１項に記載の電子機器。
【請求項９】
前記バッテリ収容部は凹部であり、
前記コネクタは、前記凹部の底部にて、前記カードが前記底部に沿って挿入される向きに設けられ、
前記位置決め部材は、前記凹部の開口側を前記第２位置側として設けられている
請求項８に記載の電子機器。
【発明の詳細な説明】
【技術分野】
【０００１】
本発明は、携帯電話機、ＰＤＡ、デジタルカメラ、ゲーム機等の電子機器に関する。
【背景技術】
【０００２】
カード型記憶媒体が着脱可能な電子機器が知られている。特許文献１では、バッテリを収容する凹部の底部においてカードを着脱可能とした携帯電話機が開示されている。カードは、凹部の底部に設けられたコネクタに対して、凹部の底面に沿って挿入される。また、凹部の底部には、凹部の底面に対して突出及び退避可能なストッパが設けられる。ストッパは、凹部の底面から突出し、カードの後端に当接して、カードの抜けを抑制する。
【先行技術文献】
【特許文献】
【０００３】
【特許文献１】特開２００１−２４４００４号公報
【発明の概要】
【発明が解決しようとする課題】
【０００４】
特許文献１の技術では、ストッパの凹部の底面からの突出量がカードの厚みと概ね同等となっており、ストッパの可動範囲が狭い。可動範囲を大きくすると、ストッパがカードの上面から突出し、筐体の薄型化が困難になる。すなわち、特許文献１の技術は、設計の自由度が低い。
【０００５】
本発明の目的は、カードを位置決めする位置決め構造の設計の自由度が高い電子機器を提供することにある。
【課題を解決するための手段】
【０００６】
本発明の電子機器は、所定のカードを挿脱可能なコネクタと、前記コネクタに挿入状態の前記カードを位置決め可能な第１位置と、前記第１位置よりも前記挿入状態の前記カードに対して立ち上がり、前記挿入状態の前記カードの位置決めを解除する第２位置との間で回転移動可能な位置決め部材と、を有する。
【０００７】
好適には、前記位置決め部材は、前記第１位置において、前記挿入状態の前記カードに対して前記挿入方向の側方から当接可能な側方部を有する。
【０００８】
好適には、前記側方部は、前記挿入状態の前記カードに平行且つ前記挿入方向に直交する方向を軸方向とする、前記挿入状態の前記カードの前記挿入方向の前端から後端までの間に位置する回転軸回りに回転可能である。
【０００９】
好適には、前記位置決め部材は、前記挿入方向の側方の両側にそれぞれ設けられた前記側方部と、２つの前記側方部の自由端部に架け渡され、前記第１位置において、前記挿入状態の前記カードに対して前記挿入方向の反対側から当接可能な後方部と、を有する。
【００１０】
好適には、前記位置決め部材は、前記後方部から前記回転軸とは反対側へ突出する突出部を有する。
【００１１】
好適には、前記位置決め部材は、一枚の板金により構成され、前記２つの側方部及び前記後方部は、前記第１位置にて前記挿入状態の前記カードの外周に対向する方向を板金の厚さ方向として構成されている。
【００１２】
好適には、前記位置決め部材は、前記第１位置において、前記挿入状態の前記カードの前記第２位置側の面に当接可能な面側部を有する。
【００１３】
好適には、前記第１位置にある前記位置決め部材の前記第２位置側への移動を規制可能な位置に着脱可能なバッテリを収容するバッテリ収容部が形成された筐体部材を有する。
【００１４】
好適には、前記バッテリ収容部は凹部であり、前記コネクタは、前記凹部の底部にて、前記カードが前記底部に沿って挿入される向きに設けられ、前記位置決め部材は、前記凹部の開口側を前記第２位置側として設けられている。
【発明の効果】
【００１５】
本発明によれば、カードを位置決めする位置決め構造の設計の自由度が高い電子機器を提供できる。
【図面の簡単な説明】
【００１６】
【図１】本発明の実施形態に係る携帯電話機を閉状態で示す斜視図。
【図２】図１の携帯電話機を蓋体を取り外した状態で示す斜視図。
【図３】図１の携帯電話機をバッテリを取り外した状態で示す斜視図。
【図４】図１の携帯電話機をカードの着脱過程において示す斜視図。
【図５】図４のカード着脱に利用されるストッパの斜視図。
【図６】図１の携帯電話機の筐体部材及びストッパを示す分解斜視図。
【図７】図２のＶＩＩ−ＶＩＩ線における断面図。
【図８】第２の実施形態のストッパを示す斜視図。
【発明を実施するための形態】
【００１７】
（第１の実施形態）
図１及び図２は、本発明の実施形態に係る携帯電話機１を閉状態で示す斜視図である。
【００１８】
携帯電話機１は、いわゆる折り畳み式の携帯電話機として構成されており、開閉可能に互いに連結された送話筐体３及び受話筐体５を有している。送話筐体３及び受話筐体５は、例えば、閉状態における対向方向において薄い薄型直方体状に形成されている。
【００１９】
送話筐体３は、バッテリ１１（図２）を着脱可能とするために、筐体部材７と、筐体部材７に着脱される蓋体９とを有している。筐体部材７及び蓋体９は、例えば、それぞれ樹脂により形成されている。
【００２０】
筐体部材７は、閉状態において送話筐体３とは反対側となる背面３ｂ側に、バッテリ１１が嵌合されるバッテリ凹部１３（図２）が形成されている。バッテリ１１は、例えば、薄型の直方体状に形成されている。バッテリ凹部１３は、バッテリ１１が嵌合する形状（本実施形態では薄型直方体状）に、また、バッテリ１１の厚さ方向（図１及び図２の紙面貫通方向）を開口方向として形成されている。
【００２１】
図３及び図４は、バッテリ１１を取り外して示すバッテリ凹部１３周辺の斜視図である。
【００２２】
バッテリ凹部１３の底部には、カード１５が挿入されるコネクタ１７と、カード１５のコネクタ１７からの抜けを抑制するストッパ１９とが設けられている。
【００２３】
カード１５は、例えば、ＳＩＭカードなどのカード型の記録媒体である。カード１５は、例えば、概ね矩形の板状に形成されている。カード１５は、図３に示すように、コネクタ１７に取り付けられた状態では、バッテリ凹部１３の底部１３ａに平行な状態で筐体部材７に保持されている。カード１５は、例えば、バッテリ凹部１３の底部１３ａに対向する面において、カード端子１５ａが露出している。
【００２４】
コネクタ１７は、カード１５を保持するための保持部２１と、カード端子１５ａに接続されるコネクタ端子２３とを有している。
【００２５】
保持部２１は、例えば、板金や樹脂を組み合わせて構成されている。保持部２１は、カード１５が挿通される挿通部２１ａと、カード１５の更なる挿入方向ｙ１への移動を規制する規制部２１ｂとを有している。挿通部２１ａは、例えば、断面矩形の筒状に形成されている。規制部２１ｂは、挿通部２１ａの奥側に設けられており、カード１５の挿入方向ｙ１の先端に当接する。
【００２６】
コネクタ端子２３は、例えば、挿通部２１ａの内側面において露出している。コネクタ端子２３は、カード１５が挿通部２１ａに挿入されることにより、カード端子１５ａに当接する。
【００２７】
ストッパ１９は、回転軸Ｒ回りに回転移動可能に設けられている。回転軸Ｒは、挿入状態のカード１５（バッテリ凹部１３の底部１３ａ）に平行且つ挿入方向ｙ１に直交している。また、回転軸Ｒは、挿入状態のカード１５の挿入方向ｙ１の前端から後端までの間に位置している。より具体的には、回転軸Ｒは、挿入状態のカード１５の挿入方向ｙ１の中央付近に位置している。
【００２８】
ストッパ１９は、回転軸Ｒ回りの回転により、図３に示すカード１５を位置決めする第１位置Ｐ１と、図４に示すカード１５の位置決めを解除した第２位置Ｐ２との間で移動可能である。ストッパ１９は、第１位置Ｐ１では、回転軸Ｒに対してカード１５の挿入方向ｙ１の反対側に位置し、また、カード１５に対して概ね平行である。また、ストッパ１９は、第２位置Ｐ２では、第１位置Ｐ１よりもカード１５に対して立ち上がる。
【００２９】
図５は、ストッパ１９の斜視図である。
【００３０】
ストッパ１９は、例えば、樹脂により形成されている。ストッパ１９は、概略、カード１５の外周に沿う、矩形の３辺により構成されている（図３も参照）。すなわち、ストッパ１９は、カード１５を挿入方向ｙ１の側方において位置決めする２つの側方部２５と、カード１５を挿入方向ｙ１の後方において位置決めする後方部２７とを有している。
【００３１】
側方部２５及び後方部２７は、棒状に形成されている。側方部２５及び後方部２７の長手方向に直交する断面形状は適宜に設定されてよいが、例えば、角部が面取りされた矩形である。
【００３２】
側方部２５の一端には、ストッパ１９を筐体部材７に軸支させるための孔部２５ａが形成されている。孔部２５ａは、回転軸Ｒ方向に貫通している。なお、孔部２５ａに代えて、回転軸Ｒ方向に凹となる凹部が形成されていてもよい。後方部２７は、２つの側方部２５の自由端部に架け渡されている。
【００３３】
２つの側方部２５は、回転軸Ｒに概ね直交し、互いに概ね平行である。後方部２７は、回転軸Ｒに概ね平行である。２つの側方部２５間の距離（後方部２７の長さ）は、概ね、カード１５の幅（挿入方向ｙ１の側方における長さ）と同等である。ただし、孔部２５ａ付近においては、２つの側方部２５間の距離は、コネクタ１７の保持部２１の幅と同等となっており、拡幅部２５ｂが形成されている。
【００３４】
また、ストッパ１９は、後方部２７からストッパ１９の自由端側へ突出する突出部２９を有している。突出部２９は、例えば、２つの側方部２５及び後方部２７に平行な板状に形成されている。
【００３５】
図６は、筐体部材７及びストッパ１９を示す分解斜視図である。
【００３６】
バッテリ凹部１３の底部１３ａには、カード１５及びコネクタ１７を配置するためのカード凹部３０が形成されている。なお、バッテリ凹部１３の一部は底部が省略されて抜け穴状になっており、カード凹部３０も、コネクタ１７が配置される側は、底部が省略されて抜け穴状になっている。
【００３７】
カード凹部３０の、挿入方向ｙ１の側方となる壁部には、回転軸Ｒ方向に突出する突部３１が形成されている。ストッパ１９は、突部３１が孔部２５ａに挿通されることにより、筐体部材７により回転軸Ｒ回りに回転可能に軸支される。
【００３８】
カード凹部３０の、挿入方向ｙ１の側方となる壁部には、ストッパ１９の拡幅部２５ｂに対応して、壁部間の距離が拡張されて形成された拡幅部３０ｃ（凹部）が形成されている。突部３１は、拡幅部３０ｃにおいて、挿入方向ｙ１の前方寄りに形成されている。従って、ストッパ１９が第１位置Ｐ１から第２位置Ｐ２へ到達したときには、拡幅部３０ｃにより構成された段差に側方部２５が当接して、ストッパ１９の更なる回転が規制される。
【００３９】
図７は、図２のＶＩＩ−ＶＩＩ線における断面図である。
【００４０】
バッテリ１１は、バッテリ凹部１３の底部１３ａと、蓋体９（図７では不図示）とに挟まれ、筐体部材７に対するバッテリ１１の厚み方向の移動が規制されている。なお、底部１３ａと蓋体９との隙間と、バッテリ１１の厚みとの差は、例えば、送話筐体３等の公差程度、若しくは、これよりも若干大きい程度である。
【００４１】
バッテリ凹部１３の底部１３ａの、バッテリ１１とは反対側には、回路基板３３が積層されている。さらに、回路基板３３の、バッテリ１１とは反対側には、シールドケースや他の回路基板が積層され、最上部には、複数のキートップ３５が配列されている。
【００４２】
回路基板３３の一部は、バッテリ凹部１３の抜け穴状になった部分（図６も参照。カード凹部３０の抜け穴も含む。）からバッテリ１１側へ露出している。コネクタ１７は、その露出部分に実装されている。なお、回路基板３３は、筐体部材７を構成する複数の部材に挟持されることなどにより、筐体部材７に対して位置決め（固定）されており、コネクタ１７は、間接的に筐体部材７に位置決め（固定）されている。
【００４３】
カード凹部３０は、カード１５の厚みよりも大きな深さを有している。従って、カード１５及びコネクタ１７は、バッテリ凹部１３の底部１３ａの、カード凹部３０の周囲部分から突出していない。すなわち、底部１３ａによるバッテリ１１の位置決めを阻害していない。
【００４４】
ストッパ１９（図７では、後方部２７及び突出部２９のみ図示）は、第１位置Ｐ１において、概ねカード凹部３０に収容される。また、ストッパ１９は、カード凹部３０の底部とバッテリ１１とに挟まれて、回転軸Ｒ回りの移動が規制される。なお、カード凹部３０の底部とバッテリ１１との隙間と、ストッパ１９との厚みとの差は、例えば、送話筐体３等の公差程度、若しくは、これより若干大きい程度である。
【００４５】
カード１５がコネクタ１７に挿入された状態において、カード１５の挿入方向ｙ１の後端と、カード凹部３０の挿入方向ｙ１の後方の壁部との間には隙間Ａが生じている。隙間Ａにより、カード１５をコネクタ１７に挿入する若しくはコネクタ１７から引き抜く際に、カード１５のコネクタ１７に対する傾斜を小さくできる。ストッパ１９の後方部２７及び突出部２９は、挿入方向ｙ１において、隙間Ａ内に収まっている。
【００４６】
なお、カード凹部３０の挿入方向ｙ１の後方の壁部は、カード１５の後端が摺動して、カード１５の挿入や引き抜きが滑らかに行われるように、傾斜して形成されている。
【００４７】
以上の構成を有する携帯電話機１のカード１５の着脱に係る作用を説明する。
【００４８】
カード１５を着脱するときには、まず、図２に示したように、筐体部材７から蓋体９が取り外される。次に、図３に示したように、筐体部材７からバッテリ１１が取り外される。そして、図４に示したように、ストッパ１９が第１位置Ｐ１から第２位置Ｐ２へ移動される。これにより、カード１５のコネクタ１７への挿入又はカード１５のコネクタ１７からの引き抜きが可能となる。
【００４９】
カード１５がコネクタ１７へ挿入され、ストッパ１９が第１位置Ｐ１へ移動されると、側方部２５は、カード１５に対して挿入方向ｙ１の側方に位置し、カード１５に近接又は当接する。これにより、カード１５の挿入方向ｙ１の側方への移動又はカード１５の面に沿う回転が規制され、カード１５は位置決めされる。
【００５０】
また、後方部２７は、カード１５に対して挿入方向ｙ１の後方に位置し、カード１５に近接又は当接する。これにより、カード１５のコネクタ１７からの抜けが抑制される。なお、後方部２７とカード１５との間に隙間がある場合、後方部２７は、カード１５を引抜方向に動かしたときに、カード端子１５ａとコネクタ端子２３とが離間する前に、カード１５の後端が後方部２７に当接する位置に位置していることが好ましい。
【００５１】
その後、バッテリ１１がバッテリ凹部１３に収容されると、バッテリ１１がストッパ１９に当接又は近接し、ストッパ１９の第２位置Ｐ２への移動が規制される。なお、バッテリ１１とストッパ１９との間に隙間がある場合、バッテリ１１は、ストッパ１９を第２位置Ｐ２側へ移動させたときに、後方部２７の下面がストッパ１９の上面を超える前に、ストッパ１９がバッテリ１１に当接する位置に位置していることが好ましい。
【００５２】
以上の実施形態によれば、携帯電話機１は、カード１５を挿脱可能なコネクタ１７を有する。また、携帯電話機１は、挿入状態のカード１５を位置決め可能な第１位置Ｐ１と、第１位置Ｐ１よりも挿入状態のカード１５に対して立ち上がり、挿入状態のカード１５の位置決めを解除する第２位置Ｐ２との間で回転移動可能なストッパ１９とを有する。
【００５３】
従って、ストッパ１９が挿入状態のカード１５に対して立ち上がるのは、カード１５の位置決めを解除するときである。換言すれば、ストッパ１９が立ち上がるのは、携帯電話機１の通常の使用状態（通話状態など）以外のときである。従って、携帯電話機１の薄型化が損なわれることを抑制しつつ、第２位置Ｐ２の第１位置Ｐ１に対する回転角度を大きくしたり、ストッパ１９の回転軸Ｒから自由端までの長さを長くしたりすることができる。すなわち、携帯電話機１は、カード１５を保持する構造に関して、設計の自由度が高い。
【００５４】
ストッパ１９は、第１位置Ｐ１において、挿入状態のカード１５に対して挿入方向ｙ１の側方から当接可能な側方部２５を有する。従って、上述のように、カード１５がコネクタ１７に対して挿入方向ｙ１の側方に移動したり、面に沿って回転したりすることが抑制され、カード１５のコネクタ１７からの抜けが抑制される。その結果、例えば、コネクタ１７の挿通部２１ａの挿入方向ｙ１における長さを短くすることができる。挿通部２１ａが短くなると、カード１５をコネクタ１７に対して傾斜して挿入することも容易化される。その結果、例えば、図７の隙間Ａを小さくすることもできる。
【００５５】
側方部２５は、挿入状態のカード１５に平行且つ挿入方向ｙ１に直交する方向を軸方向とする、挿入状態のカード１５の前端から後端までの間に位置する回転軸Ｒ回りに回転可能である。従って、例えば、実施形態のように、棒状部材をカード１５の側方に沿わせて、カード１５を位置決めすることができる。すなわち、体積の小さな部材により、挿入方向ｙ１の長い範囲に亘って位置決めを行うことができる。
【００５６】
ストッパ１９は、挿入方向ｙ１の側方の両側にそれぞれ設けられた側方部２５と、２つの側方部２５の自由端部に架け渡され、第１位置Ｐ１において、挿入状態のカード１５に対して挿入方向ｙ１の反対側から当接可能な後方部２７とを有する。従って、２つの側方部２５によりカード１５を挟み込んで、カード１５の側方の位置決めを確実に行うことが可能となるとともに、カード１５の後方への移動を抑制することができる。また、２つの側方部２５同士を近接させるようにストッパ１９を弾性変形させて、突部３１を孔部２５ａに挿通させることができ、ストッパ１９の取り付けも容易化される。
【００５７】
ストッパ１９は、後方部２７から回転軸Ｒとは反対側へ突出する突出部２９を有する。従って、ストッパ１９の操作が容易になる。一方、図７において隙間Ａにより例示したように、コネクタ１７の開口側には、カード１５を挿入する際に必要となるスペースが確保される。そして、突出部２９は、そのスペースに配置されることになるから、突出部２９の形成は、筐体部材７の小型化の弊害とはなりにくい。
【００５８】
携帯電話機１は、第１位置Ｐ１にあるストッパ１９の第２位置Ｐ２側への移動を規制可能な位置に着脱可能なバッテリ１１を収容するバッテリ凹部１３が形成された筐体部材７を有する。従って、ストッパ１９の第２位置Ｐ２への移動が、バッテリ１１によって規制され、カード１５の位置決めが確実になされる。カード１５がコネクタ１７に適正に挿入されていない状態でストッパ１９が第２位置Ｐ２から第１位置Ｐ１側へ移動されると、ストッパ１９は、カード１５に第２位置Ｐ２側から重なってしまい、バッテリ１１は、バッテリ凹部１３に収容されなくなる。従って、カード１５がコネクタ１７に対して適正に挿入されない状態で携帯電話機１が使用されることが抑制される効果も奏される。当該効果は、突出部２９が設けられ、ストッパ１９の回転軸Ｒから自由端部までの長さが大きくなることにより、一層顕著となる。
【００５９】
バッテリ１１を収容する収容部は凹部（１３）であり、コネクタ１７は、バッテリ凹部１３の底部１３ａにて、カード１５が底部１３ａに沿って挿入される向きに設けられている。ストッパ１９は、バッテリ凹部１３の開口側を第２位置側として設けられている。従って、バッテリ１１を取り外すと、ストッパ１９を立ち上げたり、ストッパ１９の操作を行うためのスペースが、カード１５の面の上方に大きく確保される。従って、操作性が向上するとともに設計の自由度がより高くなる。
【００６０】
なお、以上の実施形態において、携帯電話機１は本発明の電子機器の一例であり、ストッパ１９は本発明の位置決め部材の一例であり、バッテリ凹部１３は本発明のバッテリ収容部の一例である。
【００６１】
（第２の実施形態）
図８は、第２の実施形態のストッパ１１９を示す斜視図である。
【００６２】
ストッパ１１９は、第１の実施形態のストッパ１９と同様に、２つの側方部１２５と、２つの側方部１２５に架け渡された後方部１２７と、後方部１２７から突出する突出部１２９とを有している。また、ストッパ１１９は、ストッパ１９と同様に、孔部１２５ａが形成された拡幅部１２５ｂを有しており、孔部１２５ａに突部３１が挿入されることにより、筐体部材７に対して回転軸Ｒ回りに回転可能に軸支される。
【００６３】
しかし、第１の実施形態のストッパ１９が樹脂により形成されていたのに対し、第２の実施形態のストッパ１１９は金属により形成されている。ストッパ１１９は、例えば、一枚の板金に対するプレス加工により形成されている。
【００６４】
側方部１２５及び後方部１２７は、例えば、第１位置Ｐ１にてカード１５の外周に対向する方向を板金の厚さ方向として構成されている。突出部１２９は、例えば、後方部１２７の、第２位置Ｐ２側（図８の紙面上方側）の縁部から突出している。また、突出部１２９は、第１位置Ｐ１にてカード１５と概ね平行になるように構成されている。
【００６５】
また、第２の実施形態のストッパ１１９は、第１位置Ｐ１に位置したときに、カード１５の第２位置Ｐ２側の面に対して当接可能な面側部１２６を有している。面側部１２６は、例えば、側方部１２５の第２位置Ｐ２側の縁部から、２つの側方部１２５の間へ突出している。面側部１２６は、第１位置Ｐ１にて板金の厚さ方向がカード１５との対向方向となるように形成されている。
【００６６】
第２の実施形態によれば、第１の実施形態と同様の効果が奏される。また、ストッパ１１９は、面側部１２６を有していることから、カード１５の面に直交する方向への移動も規制でき、カード１５の位置決めが一層確実になされる。
【００６７】
ストッパ１１９は、一枚の板金により構成され、２つの側方部１２５及び後方部１２７は、第１位置Ｐ１にて挿入状態のカード１５の外周に対向する方向を板金の厚さ方向として構成されている。従って、ストッパ１１９は簡素且つ高剛性であり、また、カード１５の外周には、板金の厚さ分のスペースが確保されるだけでよく、送話筐体３の小型化が図られる。
【００６８】
本発明は、以上の実施形態に限定されず、種々の態様で実施されてよい。
【００６９】
電子機器は、携帯電話機に限定されない。例えば、電子機器は、デジタルカメラ、ＰＤＡ、ゲーム機、音楽再生プレーヤであってもよい。カードは、記憶媒体に限定されず、例えば、ＣＰＵを有するものであってもよい。
【００７０】
回転軸の方向は、カードの挿入方向に直交する方向に限定されない。例えば、カードの挿入方向に平行な回転軸回りに位置決め部材が回転し、カードの側方及び後方の少なくとも一方が位置決めされてもよい。
【００７１】
位置決め部材は、２つの側方部及び後方部を有するものに限定されない。例えば、位置決め部材は、カードに平行且つ挿入方向に直交する回転軸回りに回転可能な一つの側方部のみを有していてもよい。また、例えば、位置決め部材は、カードに平行且つ挿入方向に直交する回転軸回りに回転可能な一つの側方部と、当該側方部の自由端部に連結された後方部とを有していてもよい。また、例えば、位置決め部材は、カードに平行且つ挿入方向に平行な回転軸回りに回転可能な後方部のみを有していてもよい。なお、側方部が一つの場合には、カードの側方の壁部（実施形態ではカード凹部３０の壁部）と側方部とでカードを挟み込むと、位置決めが効果的に行われる。
【００７２】
バッテリや蓋体は、本発明の必須要件ではない。ただし、実施形態で示したように、バッテリや蓋体により、位置決め部材の立ち上がりを抑制して、位置決め部材による位置決めをより確実なものとすることができる。
【００７３】
位置決め部材を軸支する部材は、筐体部材に限定されない。例えば、位置決め部材は、コネクタにより軸支されてもよい。位置決め部材を軸支するための軸部（実施形態では突部３１）及び孔部（又は凹部）は、いずれが位置決め部材に設けられてもよい。実施形態では、２つの側方部を近接させるように位置決め部材を弾性変形させて、位置決め部材を側方部の外側の支持部（実施形態ではカード凹部３０の壁部）に支持させた。これとは逆に、位置決め部材は、２つの側方部を離間させるように位置決め部材を弾性変形させて、位置決め部材を側方部の内側の支持部（例えばコネクタ）に支持させてもよい。
【符号の説明】
【００７４】
１…携帯電話機（電子機器）、１５…カード、１７…コネクタ、１９…ストッパ（位置決め部材）、Ｐ１…第１位置、Ｐ２…第２位置。
【図１】
2010232730.tif 000003
【図２】
2010232730.tif 000004
【図３】
2010232730.tif 000005
【図４】
2010232730.tif 000006
【図５】
2010232730.tif 000007
【図６】
2010232730.tif 000008
【図７】
2010232730.tif 000009
【図８】
2010232730.tif 000010